(57)【要約】      （修正有）【課題】作動カム及び作動レバーの三次元構造により作動カムを逆転させ得るようにしたレトログラード表示機構並びに該機構を備えたムーブメント及びアナログ時計の提供。【解決手段】ムーブメント及びアナログ時計のレトログラード表示機構１では、カム従節５１ａのあるカム腕部５１を備えた作動レバー５０に対して厚さ方向Ｈに相対変位可能で漸増カム面４４を備えた作動カム４０が、逆方向Ｆ２に回転される際に、カム従節５１ａが最小径部４４ｂに当接する位置から大径の部位４４ｃに当接する位置に戻るのを許容する復帰案内段差部４５を有し、作動レバー５０が第一の三次元係合構造部５３をカム腕部５１に備え、作動カム４０は、逆方向Ｆ２に回転される際に、カム従節５１ａを復帰案内段差部４５に案内すべく、第一の三次元係合構造部５３と係合して厚さ方向Ｈの相対位置を変える第二の三次元係合構造部４６を備える。【選択図】図２
2014159999.tif 000002
【特許請求の範囲】
【請求項１】
通常運針輪列の車と同期回転される作動カムであって順方向に回転された際に中心からの距離が徐々に遠ざかる形状で最大径部から最小径部に戻るところに順方向段差部のある漸増カム面を備えたものと、前記カム面に当接するカム従節をカム腕部に備えた作動レバーであって該カム従節の変位に応じて揺動されるものと、該作動レバーの揺動に応じて表示を行う表示部とを有するレトログラード表示機構であって、
前記作動カムは、該作動カムが逆方向に回転される際に、前記カム従節が前記漸増カム面の前記最小径部に当接する位置から前記漸増カム面のうち前記最小径部よりも大径の部位に当接する位置に戻るのを許容する復帰案内段差部を更に有し、
前記作動カム及び前記作動レバーが前記レトログラード表示機構の厚さ方向に相対変位可能に配置されており、
前記作動レバーが第一の三次元係合構造部を前記カム腕部に備え、
前記作動カムは、該作動カムが逆方向に回転される際に、前記作動レバーの前記カム従節を該作動カムの前記復帰案内段差部に案内すべく、前記カム腕部の前記第一の三次元係合構造部と係合して前記作動レバーに対する前記厚さ方向の相対位置を変える第二の三次元係合構造部を備える
レトログラード表示機構。
【請求項２】
前記第一の三次元係合項構造部が第一の斜面部を備え、前記第二の三次元係合項構造部が第二の斜面部を備え、前記作動カムが前記厚さ方向に変位可能に軸に嵌合されており、前記作動カムを前記厚さ方向に偏倚させる弾性手段を備える請求項１に記載のレトログラード表示機構。
【請求項３】
前記第二の三次元係合構造部が薄肉部を備え、前記作動カムが逆方向に回転される際、前記第一及び第二の三次元係合構造部の前記第一及び第二の斜面部が相互に係合して前記作動カムが前記作動レバーに対して前記厚さ方向に変位されて前記作動カムの前記第二の三次元係合構造部の前記薄肉部に前記作動レバーの前記第一の三次元係合構造部が重なる請求項２に記載のレトログラード表示機構。
【請求項４】
前記薄肉部が周方向に庇状に延びた庇状部の形態を有し、該庇状部の周方向の先端部が前記作動カムの前記最大径部になっており、前記庇状部のうち該最大径部と回転中心とを結ぶ方向に延びる前記順方向段差部よりも周方向にみて手前に前記復帰案内段差部が形成されている請求項３に記載のレトログラード機構。
【請求項５】
前記作動カムが前記通常運針輪列の車と同期回転される基準歯車と一体回転するように構成されている請求項１から４までのいずれか一つの項に記載のレトログラード機構。
【請求項６】
前記基準歯車が２４時間歯車からなる請求項５に記載のレトログラード表示機構。
【請求項７】
請求項１から６までのいずれか一つの項に記載のレトログラード表示機構を備えたムーブメント。
【請求項８】
請求項１から６までのいずれか一つの項に記載のレトログラード表示機構を備えたアナログ時計。
【発明の詳細な説明】
【技術分野】
【０００１】
本発明は、レトログラード表示機構並びに該機構を備えたムーブメント及びアナログ時計に係わる。
【背景技術】
【０００２】
順方向の回転角の増大に応じて径が大きくなるカム面を備え該カム面が最大径部から最小径部に戻るところに径方向の段差部を備えた作動カムを有すると共に該作動カムの該カム面に当接する作動レバーの形態のカム従節の変位に従って時間に依存する表示を行うレトログラード表示構造においては、作動レバーが作動カムの段差部に対して突っ張り状態になるのを避けるべく、通常は、作動カムの逆方向の回転は禁止されるところ、作動カムの逆方向の回転を許容するようにすること自体は、知られている（特許文献１）。
【０００３】
特許文献１には、時差修正の際において、レトログラード式の２４時表示部に用いられている作動カムの逆方向の回転を許容するために、時差修正用巻真の時差修正操作位置への引出動作に応じて、該時差修正用巻真と連動するおしどり等により作動レバーを作動カムの軌跡の範囲外に退避させることが開示されている。
【０００４】
しかしながら、この場合、順方向に時車（筒車）を回すときでも、時差修正を行うべく時差修正用巻真を引き出すだけで、２４時間表示が視認できなくなる。また、レトログラード表示が適切に行われることを時間を短縮して視認したくても、時差修正モードに設定するだけで作動レバーが退避してしまうので、レトログラード機構が適切に動作するかどうかの確認をし難い。また、この場合、表示機構の表示部の配置が、（時差修正）巻真の近傍に制約され易い。
【先行技術文献】
【特許文献】
【０００５】
【特許文献１】特許第３１４０７００号公報
【発明の概要】
【発明が解決しようとする課題】
【０００６】
本発明は前記諸点に鑑みなされたものであってその目的とするところは、作動カム及び作動レバーの三次元構造により作動カムの逆転を許容するようにしたレトログラード表示機構並びに該機構を備えたムーブメント及びアナログ時計を提供することにある。
【課題を解決するための手段】
【０００７】
本発明のレトログラード表示機構は、前記目的を達成すべく、通常運針輪列の車と同期回転される作動カムであって順方向に回転された際に中心からの距離が徐々に遠ざかる形状で最大径部から最小径部に戻るところに順方向段差部のある漸増カム面を備えたものと、前記カム面に当接するカム従節をカム腕部に備えた作動レバーであって該カム従節の変位に応じて揺動されるものと、該作動レバーの揺動に応じて表示を行う表示部とを有するレトログラード表示機構であって、前記作動カムは、該作動カムが逆方向に回転される際に、前記カム従節が前記漸増カム面の前記最小径部に当接する位置から前記漸増カム面のうち前記最小径部よりも大径の部位に当接する位置に戻るのを許容する復帰案内段差部を更に有し、前記作動カム及び前記作動レバーが前記レトログラード表示機構の厚さ方向に相対変位可能に配置されており、前記作動レバーが第一の三次元係合構造部を前記カム腕部に備え、前記作動カムは、該作動カムが逆方向に回転される際に、前記作動レバーの前記カム従節を該作動カムの前記復帰案内段差部に案内すべく、前記カム腕部の前記第一の三次元係合構造部と係合して前記作動レバーに対する前記厚さ方向の相対位置を変える第二の三次元係合構造部を備える。
【０００８】
本発明のレトログラード表示機構では、「前記作動カムは、該作動カムが逆方向に回転される際に、前記カム従節が前記漸増カム面の前記最小径部に当接する位置から前記漸増カム面のうち前記最小径部よりも大径の部位に当接する位置に戻るのを許容する復帰案内段差部を更に有し、前記作動カム及び前記作動レバーが前記レトログラード表示機構の厚さ方向に相対変位可能に配置されており、前記作動レバーが第一の三次元係合構造部を前記カム腕部に備え、前記作動カムは、該作動カムが逆方向に回転される際に、前記カム腕部の前記カム従節を該作動カムの前記復帰案内段差部に前記カム腕部を案内すべく、前記カム腕部の前記第一の三次元係合構造部と係合して前記作動レバーに対する前記厚さ方向の相対位置を変える第二の三次元係合構造部を備える」ので、作動レバーの第一の三次元係合構造部と作動カムの第二の三次元係合構造部との係合により、復帰案内段差部を介して、作動カムの逆方向回転が許容される。なお、作動レバーのカム腕部のカム従節は作動カムに弾性的に押付けられている。
【０００９】
ここで、「漸増カム面のうち作動カムの最小径部よりも大径の部位」は、典型的には、作動カムの最大径部の近傍であって最大径部よりも僅かに小径の部位である。但し、最小径部よりも径が大きい部位である限り、最大径部から遠く離れた部位（例えば、最大径部よりも最小径部に近い径の部位）であってもよい。
【００１０】
また、本発明のレトログラード表示機構では、実質的に剛体間の当接により作動レバーが位置決めされるので、作動レバーのカム腕部が作動カムの漸増カム面に当接する状態にある限り（途中で復帰案内段差部を通ったか否かにかかわらず）、表示部の表示が作動カムの回転位置（位相）や通常運針輪列の車の回転位置（位相）と正確に一致し得る。また、レトログラード表示機構全体の構造が簡単化され易い。
【００１１】
更に、本発明のレトログラード表示機構では、作動カムが順方向に回転されるか逆方向に回転されるかにかかわらず実質的に剛体間の当接により作動レバーが位置決めされるので、作動カムが逆方向に回転される場合でも、レトログラード表示機構が動作していること自体は確認され得る。
【００１２】
本発明のレトログラード表示機構では、典型的には、前記第一の三次元係合項構造部が第一の斜面部を備え、前記第二の三次元係合項構造部が第二の斜面部を備え、前記作動カムが前記厚さ方向に変位可能に軸に嵌合されており、前記作動カムを前記厚さ方向に偏倚させる弾性手段を備える。
【００１３】
その場合、作動カムが第一及び第二の斜面部の係合を介して厚さ方向に変位されるのでカム従節を作動カムの復帰案内段差部に案内して、カム従節が作動カムの最小径部に当接する位置から漸増カム面のうち最小径部よりも大径の部位（典型的には、作動カムの最大径部の近傍であって最大径部よりも僅かに小径の部位）に戻るのを許容する。ここで、典型的にはばねやゴム等からなる弾性手段は、作動カムが厚さ方向に自由に変位されるのを抑制する向きに該作動カムに対して弾性偏倚力を及ぼす。
【００１４】
本発明のレトログラード表示機構では、典型的には、前記第二の三次元係合構造部が薄肉部を備え、前記作動カムが逆方向に回転される際、前記第一及び第二の三次元係合構造部の前記第一及び第二の斜面部が相互に係合して前記作動カムが前記作動レバーに対して前記厚さ方向に変位されて前記作動カムの前記第二の三次元係合構造部の前記薄肉部に前記作動レバーの前記第一の三次元係合構造部が重なる。
【００１５】
その場合、作動カム及び作動レバーのレトログラード機構の厚さ方向への相対変位が、確実に行われ得る。
【００１６】
本発明のレトログラード表示機構では、典型的には、前記薄肉部が周方向に庇状に延びた庇状部の形態を有し、該庇状部の周方向の先端部が前記作動カムの前記最大径部になっており、前記庇状部のうち該最大径部と回転中心とを結ぶ方向に延びる前記順方向段差部よりも周方向にみて手前に前記復帰案内段差部が形成されている。
【００１７】
その場合、カム従節が復帰案内段差部に沿って漸増カム面に戻るのを確実に案内し得る。
【００１８】
本発明のレトログラード表示機構では、典型的には、前記作動カムが前記通常運針輪列の車と同期回転される基準歯車と一体回転するように構成されている。
【００１９】
本発明のレトログラード表示機構では、典型的には、前記基準歯車が２４時間歯車からなる。
【００２０】
本発明のムーブメントは、前記目的を達成すべく、上記のようなレトログラード表示機構を備える。
【００２１】
本発明のアナログ時計は、前記目的を達成すべく、上記のようなレトログラード表示機構を備える。従って、本発明のアナログ時計は、前記目的を達成すべく、上記のようなレトログラード表示機構を備えたムーブメントを有する。
【図面の簡単な説明】
【００２２】
【図１】本発明の好ましい一実施例の２４時レトログラード表示機構を備えた本発明の好ましい一実施例のムーブメントを有する本発明の好ましい一実施例のアナログ時計を文字板側から見た外観説明図。
【図２】図１の２４時レトログラード表示機構の平面説明図。
【図３】図２の２４時レトログラード表示機構を備えた図１のアナログ時計が通常運針状態にある場合の断面説明図。
【図４】図２の２４時レトログラード表示機構を備えた図１のアナログ時計が逆針回し状態にある場合の断面説明図。
【図５】図２の２４時レトログラード表示機構を構成する作動カムを備えた２４時間車及び作動レバーを示したもので、（ａ）は作動レバーのカム腕部のカム従節が作動カムの最小径部に当接している状態を示した斜視説明図、（ｂ）は作動レバーが逆方向に回転されて作動レバーのカム腕部が段差部の側面及び三次元係合構造部としての復帰案内構造部４６に沿って最小径部から主カム面のうち最大径部近傍の部位に戻る途上の状態を示した斜視説明図、（ｃ）は（ａ）及び（ｂ）の状態と比較して作動カムを裏返して見た斜視説明図、（ｄ）は作動レバーの斜視説明図。
【図６】図１の２４時レトログラード表示機構の主たる構成部分である作動カムを含む２４時間車と作動レバーと２４時表示車との関係を示した平面説明図。
【図７】図１のアナログ時計の２４時レトログラード表示機構が０時の位置にある場合における図６と同様な平面説明図。
【図８】図１のアナログ時計の２４時レトログラード表示機構において、逆針回しにより作動レバーのカム従節が小径カム面領域を移動した状態を示した図６と同様な平面説明図。
【図９】図１のアナログ時計の２４時レトログラード表示機構において、逆針回しにより作動レバーのカム従節が段差部の側面を登り始めた状態を示した図６と同様な平面説明図。
【図１０】図１のアナログ時計の２４時レトログラード表示機構において、逆針回しにより作動レバーのカム従節による段差部の側面の上昇が多少進行した状態を示した図６と同様な平面説明図。
【図１１】図１のアナログ時計の２４時レトログラード表示機構において、逆針回しにより作動レバーのカム従節による段差部の側面の上昇が更に進行した状態を示した図６と同様な平面説明図。
【図１２】図１のアナログ時計の２４時レトログラード表示機構において、逆針回しにより作動レバーのカム従節による段差部の側面の上昇が進行してカム腕部の傾斜面の前縁が作動カムの復帰案内構造部の傾斜面の前縁に近接した状態を示したもので、（ａ）は図６と同様な平面説明図、（ｂ）は（ａ）の一部の断面説明図。
【図１３】図１のアナログ時計の２４時レトログラード表示機構において、逆針回しにより作動レバーのカム従節による段差部の側面の上昇が進行してカム腕部の傾斜面が作動カムの復帰案内構造部の傾斜面と当接した状態を示したもので、（ａ）は図６と同様な平面説明図、（ｂ）は（ａ）の一部の断面説明図。
【図１４】図１のアナログ時計の２４時レトログラード表示機構において、逆針回しにより作動レバーのカム従節による段差部の側面の上昇が進行してカム腕部の傾斜面がが作動カムの復帰案内構造部の傾斜面に乗り上げて作動カムの薄肉復帰構造部の主面が作動レバーのカム腕部の対向主面と当接するようになった状態（一方の主面で２４時間歯車に当接した作動レバーのカム腕部が弾性力に抗して作動カムを２４時間歯車から離間させて他方の主面で作動カムの対向主面の下に入り込んだ状態を示したもので、（ａ）は図６と同様な平面説明図、（ｂ）は（ａ）の一部の断面説明図。
【図１５】図１のアナログ時計の２４時レトログラード表示機構において、逆針回しにより作動レバーのカム従節が作動カムと２４時間歯車との間で段差面に沿って更に上った状態を示したもので、（ａ）は図６と同様な平面説明図、（ｂ）は（ａ）の一部の断面説明図。
【図１６】図１のアナログ時計の２４時レトログラード表示機構において、逆針回しにより作動レバーのカム従節が作動カムと２４時間歯車との間で段差面に沿って更に上った状態を示したもので、（ａ）は図６と同様な平面説明図、（ｂ）は（ａ）の一部の断面説明図。
【図１７】図１のアナログ時計の２４時レトログラード表示機構において、逆針回しにより作動レバーのカム従節が作動カムと２４時間歯車との間で段差面に沿って更に上って大径部位の近傍に達した状態を示したもので、（ａ）は図６と同様な平面説明図、（ｂ）は（ａ）の一部の断面説明図。
【図１８】図１のアナログ時計の２４時レトログラード表示機構において、逆針回しにより作動レバーのカム従節が作動カムと２４時間歯車との間で段差面に沿って更に上って大径部位に達して漸増カム面部に当接するようになった状態を示したもので、（ａ）は図６と同様な平面説明図、（ｂ）は大径部位に達する直前の状態についての（ａ）の一部の断面説明図、（ｃ）は大径部位にした直後の状態についての（ａ）の一部の断面説明図。
【発明を実施するための形態】
【００２３】
本発明の好ましい一実施の形態を添付図面に示した好ましい一実施例に基づいて説明する。
【実施例】
【００２４】
図１から図３には、本発明の好ましい一実施例のレトログラード表示機構としての２４時レトログラード表示機構１を備えた本発明の好ましい一実施例のムーブメント４を有する本発明の好ましい一実施例のアナログ時計２が示されている。
【００２５】
時計２は、図１に示したような外観３を有する。すなわち、時計２は、時針１１ａ、分針１１ｂ及び秒針１１ｃからなる時刻表示針１１を中心軸線Ｃのまわりで時計回りＣ１に回転可能に備える。時計２の文字板１２は、正時の位置を表す植字１２ａを有する。時計２は、また、６時の位置において中心軸線Ｄを回動中心として概ね４時及び８時の位置の間に拡がる扇形の２４時レトログラード表示領域１３を有し、該領域１３には、Ｄ１方向に０時から２４時までの時刻を示す目盛及び文字からなる２４時表示１３ａが付されている。該２４時表示領域１３において２４時表示針６４が０時の位置から２４時の位置まで中心軸線ＤのまわりでＤ１方向に回動可能であり、通常動作の際には２４時になると瞬時にＤ２方向に回動して０時の位置に戻る。
【００２６】
ムーブメント４は、図１に加えて、図３や図４の断面図からわかるように、アナログ時計２の外装部品の中すなわち時計ケース１４内において文字板１２の背後で裏蓋１８の手前に収容され香箱やモータの如き回転駆動源（図示せず）によって回転駆動され通常運針輪列５を構成する筒車１７や分車１６ｂや秒車１６ｃを含み、夫々の先端部に、時針１１ａ、分針１１ｂ及び秒針１１ｃが取付けられている。ムーブメント４の巻真１５ａの先端にはりゅうず１５が取付けられている。
【００２７】
この明細書の以下の記載において、正転、正方向ないし順方向（回転）又は正針回し（方向）とは、運針輪列の車が通常運針状態にある際と同じ向きに回転される際に２４時レトログラード表示機構１の各車が回転される方向又はそのように回転されること（例えば、時が進む方向に時差修正を行なう際に各車が回転される方向又はそのように回転されること）をいい、逆方向（回転）又は逆針回し（方向）とは、運針輪列の車が通常運針状態にある際に回転される向きとは反対の向きに２４時レトログラード表示機構１の各車が回転される方向又はそのように回転されること（例えば、時が進む方向とは反対方向に時差修正を行なう際に各車が回転される方向又はそのように回転されること）をいう。
【００２８】
２４時表示機構１は、図３の断面説明図に示したように、一部の車を除いて概ね地板４ａと輪列受４ｂとの間の領域に位置する通常運針輪列５よりも文字板側において、第二地板６と第二輪列受７との間に配設されている。これにより、２４時表示機構１の追加的な配設が容易になっている。但し、所望ならば、２４時表示機構１を構成する車の少なくとも一部が、時計２の厚さ方向Ｈに関して、通常運針輪列５の車の車と同様な位置（厚さ方向位置）に配置されていてもよい。
【００２９】
２４時表示機構１は、図２の平面説明図並びに図３の断面説明図に示したように、通常運針輪列を構成する筒車１７と同軸で該筒車１７一体的な２４時第一中間車２３と、該２４時第一中間車２３と噛合した２４時第二中間車２６と、該２４時第二中間車２６と噛合し筒車１７と同期回転される基準歯車としての２４時間歯車３２と、該２４時間歯車３２と同軸で回転に関してはこれと一体的な２４時レトログラード作動カム４０と、先端が該作動カム４０に対するカム従節５１ａとなるカム腕部５１及び扇形歯車部５２を備えた作動レバー５０と、扇形歯車部５２と噛合した２４時表示歯車６２を備えた２４時表示車部６０とを有する。２４時間歯車３２及び作動カム４０は２４時間車３０を構成する。２４時第二中間車２６、２４時間車３０及び作動レバー５０は、夫々、中心軸線Ｅ，Ｆ及びＧのまわりで回転可能である。
【００３０】
より詳しくは、２４時間車３０を構成する２４時間歯車３２は、時計２の厚さ方向Ｈに突出した作動カム案内ピン３４を備え、該作動カム案内ピン３４は、作動カム４０の偏心位置にある貫通孔４２に進退可能に嵌合されている。２４時間車３０の回転中心軸３６には作動カム４０を裏蓋１８側に向かって２４時間車３２の対向主面３２ａの方へＨ１方向に弾性的に押圧する針座３８が配設されている。従って、作動カム４０が針座３８以外から厚さ方向Ｈの外力を受けていない状態では、作動カム４０は、図３に示したように、針座３８の弾性偏倚力によってＨ１方向に偏倚した位置Ｑ０を採る。この位置Ｑ０では、作動カム４０は、作動カム本体部４１の主面４１ａで２４時間歯車３２の対向主面３２ａに当接している。一方、後で詳述するように、作動カム４０が文字板１２側すなわち文字板１２のある方向Ｈ２への厚さ方向力を受けると、作動カム４０は、図４に示したように、針座３８の弾性偏倚力に抗してＨ２方向に偏倚した位置Ｑ１を採る。この位置Ｑ１では、作動カム４０の裏蓋側主面４１ａと２４時間歯車３２の対向主面３２ａとの間に厚さ方向Ｈの間隙ができる。
【００３１】
作動カム４０は、図２及び図３に加えて、該作動カム４０自体の拡大斜視図である図５の（ｃ）並びに該作動カム４０を含む２４時間車３０及び作動レバー５０の拡大斜視図である図５の（ａ）及び（ｂ）に示したように、肉厚の作動カム本体部４１と、薄肉の復帰案内構造部４６とを有する。作動カム４０は、該作動カム４０が順方向Ｆ１に回転された際に後述のカム従節５１ａが当接する部位（実効カム面部）が最小径部４４ｂから最大径部４４ａまで徐々に変化して、該作動カム４０の実効径（該部位と回転中心Ｆとを結ぶ距離）が徐々に大きくなるカタツムリないし巻貝状の形状の漸増カム面部４４を有する。ここで、漸増カム面部４４は、肉厚の作動カム本体部４１と薄肉の復帰案内構造部４６との両方に拡がっている。
【００３２】
作動カム４０は、また、該作動カム４０が順方向に回転された際にカム従節５１ａが最大径部４４ａから最小径部４４ｂに戻るところに薄肉庇状の復帰案内構造部４６の周方向端縁４６ｂによって規定される順方向段差部４６ｆを有する。この順方向段差部４６ｆが従来からのレトログラード表示を可能にしている。作動カム４０は、更に、作動カム４０が逆方向に回転される際にカム従節５１ａが最小径部４４ｂの近傍の小径部位４４ｄから最大径部４４ａの近傍の大径部位４４ｃに戻るところに側面４５ａを備えた逆方向復帰案内段差部４５を有する。復帰案内段差部４５は、薄肉の復帰案内構造部４６と協働して、２４時レトログラード作動カム４０の逆方向回転Ｆ２を可能にしている。従って、この作動カム４０の段差部すなわち作動カム段差部４８は、順方向のレトログラード表示を行わせる順方向段差部４６ｆとレトログラード作動カム４０の逆方向回転を許容する復帰案内段差部４５とを含む。
【００３３】
この例では、最小径部４４ｂを基準としてその角度位置ないし角度αを０（α＝０）とすると、該最小径部４４ｂと小径部位４４ｄ（復帰案内段差部４５の側面４５ａの最小径の部位）との間の角度α０のカム面領域４４ｅが最小径部４４ｂと同一の径（最小径Ｒｍｉｎ）を有し、これに伴って逆方向復帰案内段差部４５を底部とする凹部が形成されている。但し、後述の傾斜案内面４７が有効に形成され得、２４時表示針６４の動きが自然である限り、カム面領域４４ｅの角度α０が実際上ゼロでカム面領域４４ｅがなくても、カム面領域４４ｅにおける径が最小径部４４ｂと小径部位４４ｄとで異なっていてもよい。
【００３４】
この例では、正転及び逆転に係る主カム面４３は、漸増カム面部４４と復帰案内構造部４６及び復帰案内段差部４５とからなる。復帰案内段差部４５は、作動カム４０を含む２４時間車３０がＦ２方向に逆転される際に作動レバー５０のカム従節５１ａを径方向外側に案内してカム腕部５１をＧ１方向に回動させるべく傾斜し、該案内のために該カム従節５１ａが当接する部位Ｐの角度αがα０（図８）からα１１（図１８）の範囲で変わる。
【００３５】
三次元係合構造部としての復帰案内構造部４６は、復帰案内段差部４５の文字板１２側部分において、該段差部４５の径方向外側部分から円弧状に延びた薄肉扇形状を有し、径方向内側縁部４６ａに傾斜案内面４７を備える。
【００３６】
一方、作動レバー５０のカム腕部５１は、厚さ方向Ｈに垂直な面内において作動カム４０に対してカム従節５１ａとして働く先端部に加えて、作動カム４０に対する厚さ方向Ｈの相対変位を可能にする三次元係合構造部としての傾斜面部５３を先端近傍の側縁５３ａに備える。作動レバー５０のカム腕部５１は、裏蓋側の主面５５で２４時間歯車３２の主面３２ａに実際上摺接している。但し間隙があってもよい。
【００３７】
従って、作動カム４０を含む２４時間車３０がＦ２方向に逆転される際に、作動レバー５０のカム腕部５１は、先端のカム従節５１ａで作動カム４０の復帰案内段差部４５の側壁ないし側面４５ａに沿って径方向外側に変位されると共に、側縁５３ａの傾斜面部５３で、復帰案内構造部４６の傾斜案内面４７に係合して、作動カム４０から裏蓋１８側ないし２４時間歯車３２の主面３２ａの方向Ｈ１への力を受けその反作用として作動カム４０を厚さ方向Ｈの文字板１２側に向かってＨ２方向に押し該作動カム４０をＨ２方向に変位させる。これにより、作動カム４０の主面４１ａと２４時間歯車３２の主面３２ａとの間に間隙ができて該間隙に作動レバー５０のカム腕部５１が入り込んで作動レバー５０のカム腕部５１が作動カム４０の薄肉の復帰案内構造部４６に重なるようになり、該重なり状態において、作動レバー５０のカム腕部５１のカム従節５１ａが復帰案内段差部４５の側面４５ａに沿って最外周端４５ｂの大径部位４４ｃに達する。この大径部位４４ｃは、作動カム４０の漸増カム面部４４内で、該漸増カム面部４４の最大径部４４ａの近傍に位置する。従って、大径部位４４ｃに達した作動レバー５０のカム腕部５１がカム従節５１ａは、漸増カム面部４４に当接する通常の状態（作動カム４０の回転位置と２４時間表示の時刻とが正確に対応する状態）に戻る。
【００３８】
２４時表示車部６０は、中心軸線Ｄのまわりで回転される軸部６１と、該軸部６１に固定され作動レバー５０の扇形歯車部５２と噛合した２４時表示歯車６２と、軸部６１に対してＤ２方向回動偏倚力を及ぼす渦巻状の２４時表示車戻しばね６３と、軸部６１に固定され該軸部６１の回転に応じてＤ１，Ｄ２方向に回転される２４時表示針６４とを有する。ばね６３の作用下で、２４時表示針６４が、初期位置へのＤ２方向回動偏倚力を受け、作動レバー５０の扇形歯車部５２がＧ２方向回動偏倚力を受け、作動レバー５０のカム腕部５１が先端のカム従節５１ａで作動カム４０の主カム面４３に押付けられている。
【００３９】
以上の如く構成されたアナログ時計２の２４時レトログラード表示機構１の動作及び操作について、図１から図５に加えて、図６から図１８に基づいて、詳しく説明する。
【００４０】
アナログ時計２において通常運針が行われている状態では、図２の筒車１７及び２４時第一中間車２３がＣ１方向に回転され、２４時第二中間車２６がＥ１方向に回転されるので、２４時間車３０がＦ１方向に回転される。すなわち、２４時間車３０を構成する２４時間歯車３２及び作動カム４０がＦ１方向に一体的に回転される。
【００４１】
従って、２４時表示車部６０の２４時表示車戻しばね６３の作用下でＧ２方向偏倚力を受けた作動レバー５０は、カム腕部５１の先端のカム従節５１ａで２４時間車３０の作動カム４０の漸増カム面部４４に当接した状態で、図６に示したように、作動カム４０のＦ１方向回動に伴う当接部の拡径化に従って徐々にＧ１方向に回動され、該Ｇ１方向回動に伴って扇形歯車部５２で２４時表示車部６０の２４時表示歯車６２をＤ１方向に回動させ、これにより、２４時表示針６４を扇形領域１３内においてＤ１方向に回動させて表示を行わせる。なお、作動カム４０のＦ１方向回転に伴い、作動レバー５０のカム腕部５１のカム従節５１ａが漸増カム面部４４の最大径部４４ａに当接すると、２４時表示針６４が扇形領域１３においてＤ１方向に最大限振れて２４時を表示する位置に達する。２４時間車３０の作動カム４０が更にＦ１方向に回転すると、戻しばね６３によるＧ２方向弾性偏倚力を受けた作動レバー５０のカム腕部５１のカム従節５１ａは、復帰案内構造部４６の周方向端縁４６ｂから外れて、概ね作動カム段差部４８の復帰案内構造部４６の周方向端縁４６ｂに沿って径方向に落ちた後、復帰案内段差部４５の径方向最内端に対応するか又はその近傍の漸増カム面部４４の最小径部４４ｂに一気に落ちる。これに伴い、２４時表示針６４も、扇形領域１３の右端の２４時を示す位置から左端の０時を示す位置にＤ２方向に急激に回動されて一気に初期位置に戻るレトログラード表示が行われる。その後は、再度、漸増する表示を繰返す。
【００４２】
一方、逆針回しが行われる場合においても、作動レバー５０のカム腕部５１のカム従節５１ａが作動カム４０の漸増カム面部４４に当接している範囲内では、即ち、２４時近傍の時刻から０時近傍の時刻まで逆針回しが行われる範囲内では、図２において矢印で示し図６において破線の矢印で示したように、作動カム４０を含む２４時間車３０がＦ２方向に回転され、カム腕部５１の先端のカム従節５１ａで作動カム４０の漸増カム面部４４に当接した作動レバー５０がＧ２方向に回動され、歯車部５２，６２間の噛合を介して２４時表示針６４が表示領域１３においてＤ２方向に回動される。この範囲では、２４表示針６４のＤ２方向の表示位置は２４時間車３０のＦ２方向回動位置に正確に対応している。
【００４３】
次に、逆針回しの場合において、作動レバー５０のカム腕部５１のカム従節５１ａが作動カム段差部４８の近傍に達した後における２４時レトログラード表示機構１の動作について、図１から図６に加えて、図７から図１８に基づいて、詳しく説明する。
【００４４】
逆針回しないし逆転修正により、作動カム４０がＦ２方向に回転されて作動レバー５０がＧ２方向に回動されて、図７に示したように、作動レバー５０のカム腕部５１の先端のカム従節５１ａが作動カム４０の漸増カム面部４４の最小径部４４ｂに達すると、表示針６４が表示領域１３の初期位置ないし０時の位置を採る。２４時間車３０ないし作動カム４０のこの状態における中心Ｆのまわりの回転状態を初期状態として回転角α＝０とする。この状態において、作動レバー５０の扇形歯車部５２も中心Ｇのまわりの回転状態として初期状態（回転角β＝０）を採り、２４時表示部６０の表示針６４も中心Ｄのまわりの回転状態として初期状態（回転角γ＝０）を採る。従って、ここでは、角度α＝β=γ＝０は、図７には表示されていない。図７の状態が、初期状態Ｓ０である。
【００４５】
逆転修正が進行すると、作動カム４０のＦ２方向回転に伴い、図８に示したように、作動レバー５０のカム腕部５１のカム従節５１ａが作動カム４０の漸増カム面部４４の最小径部４４ｂから外れて小径カム面領域４４ｅに沿ってその小径部位４４ｄに達する状態Ｓ１を採る。この状態Ｓ１では、２４時間車３０及び作動カム４０は、図７の初期状態Ｓ０と比較して中心軸線Ｆの周りで角度α＝α０だけ逆方向に回転されている。なお、この例ｄでは小径部位４４ｄの径は最小径部４４ｂの径と同じであるので、この状態Ｓ１では、作動レバー５０の回転角度βはゼロ（β＝０）であり、２４時表示部６０の表示針６４の回転角γもゼロ（γ＝０）である。このように、最小径部４４ｂを越えて逆転修正が開始されてカム従節５１ａが漸増カム面部４４から離れて作動カム４０の小径カム面領域４４ｅ又は逆方向復帰案内段差部４５の側面４５ａに当接する位置にある場合、２４時間車３０及び作動カム４０の逆方向回転角度αと２４時表示針６４の領域１３における表示位置（指示位置）とは対応しなくなり、２４時表示針６４は２４時間車３０の正確な回動位置を示さなくなる（後述のように、漸増カム面部４４に当接する状態に戻る（達する）と、２４時間車３０及び作動カム４０の逆方向回転角度αと２４時表示針６４の領域１３における表示位置（指示位置）とが再度正確に対応するようになる）。
【００４６】
更に、逆転修正が進行すると、作動カム４０のＦ２方向回転に伴い、図９に示したように、作動レバー５０のカム腕部５１のカム従節５１ａが作動カム４０の復帰案内段差部４５の側面４５ａに沿って小径部位４４ｄから大径部位４４ｃに向かって上り始めて小径部位４４ｄ近傍の部位Ｐ２と当接する状態Ｓ２を採る。この状態Ｓ２では、２４時間車３０及び作動カム４０は、図７の初期状態Ｓ０と比較して中心軸線Ｆの周りで角度α＝α２（＞α０）だけ回転されている。なお、この状態Ｓ２では、部位Ｐ２の径は最小径部４４ｂの径Ｒｍｉｎより僅かながら大きいので、作動レバー５０が僅かながらＧ１方向に回転して角度＝β２を採り、これに応じて、２４時表示部６０の表示針６４が僅かながらＤ１方向に回転して角度γ＝γ２を採る。
【００４７】
逆転修正が更に進行すると、同様に、作動カム４０のＦ２方向回転に伴い、図１０や図１１に示したように、作動レバー５０のカム腕部５１のカム従節５１ａが作動カム４０の復帰案内段差部４５の側面４５ａに沿って小径部位４４ｄから大径部位４４ｃに向かって更に上った部位Ｐ３やＰ４と当接状態Ｓ３やＳ４を採る。これらの状態Ｓ３やＳ４では、２４時間車３０及び作動カム４０は、初期状態Ｓ０と比較して角度α＝α３（＞α２）やα４（＞α３）だけ回転されている。なお、この状態Ｓ３やＳ４では、部位Ｐ３やＰ４の径は部位Ｐ２の径よりも大きくなるので、作動レバー５０が更にＧ１方向に回転して角度＝β３（＞β２）やβ４（＞β３）を採り、これに応じて、２４時表示部６０の表示針６４も更に回転して角度γ＝γ３（＞γ２）やγ４（＞γ３）を採る。
【００４８】
逆転修正が更に進行すると、作動カム４０のＦ２方向回転に伴い、図１２の（ａ）及び（ｂ）に示したように作動レバー５０のカム腕部５１がカム従節５１ａで作動カム４０の復帰案内段差部４５の側面４５ａの部位Ｐ５に当接し、先端近傍の側縁５３ａにある傾斜面部５３の先端５３ｂで作動カム４０の復帰案内構造部４６の径方向内側側縁部４６ａにある傾斜案内面４７の端縁４７ａと重なる（作動レバー５０のカム腕部５１の傾斜面部５３の先端５３ｂの厚さ方向延在面が作動カム４０の復帰案内構造部４６の傾斜面部５３の先端５３ｂの厚さ方向延在面と重なる）状態Ｓ５になる。この状態Ｓ５では、２４時間車３０及び作動カム４０は、初期状態Ｓ０と比較して角度α＝α５（＞α４）だけ回転され、この状態Ｓ５では、部位Ｐ５の径は部位Ｐ４の径よりも大きくなるので、作動レバー５０が更にＧ１方向に回転して角度＝β５（＞β４）を採り、これに応じて、２４時表示部６０の表示針６４も更に回転して角度γ＝γ５（＞γ４）を採る。
【００４９】
逆転修正が更に進行すると、作動カム４０のＦ２方向回転に伴い、図１３の（ａ）及び（ｂ）に示したように裏蓋側主面５５で２４時間歯車３２の対向主面３２ａに当接した作動レバー５０のカム腕部５１が先端近傍の側縁５３ａにある傾斜面部５３で作動カム４０の復帰案内構造部４６の径方向内側側縁部４６ａにある傾斜案内面４７と当接し、傾斜面部５３に沿って傾斜案内面４７によって案内されると共に反作用として作動カム４０を針座３８（図３や図４）のＨ１方向弾性押圧力に抗して厚さ方向Ｈの文字板１２側に向かって２４時間歯車３２から離間させる方向Ｈ２に押し上げ始める。このとき、作動レバー５０はカム腕部５１のカム従節５１ａで作動カム４０の復帰案内段差部４５の側面４５ａの部位Ｐ６に当接する状態Ｓ６になる。この状態Ｓ６では、２４時間車３０及び作動カム４０は、初期状態Ｓ０と比較して角度α＝α６（＞α５）だけ回転され、この状態Ｓ６では、部位Ｐ６の径が部位Ｐ５の径よりも大きくなるので、作動レバー５０が更にＧ１方向に回転して角度＝β６（＞β５）を採り、これに応じて、２４時表示部６０の表示針６４も更に回転して角度γ＝γ６（＞γ５）を採る。
【００５０】
逆転修正が更に進行すると、作動カム４０のＦ２方向回転に伴い、図１４の（ａ）及び（ｂ）に示したように裏蓋側主面５５で２４時間歯車３２の対向主面３２ａに当接した作動レバー５０のカム腕部５１の傾斜面部５３と作動カム４０の復帰案内構造部４６の傾斜案内面４７との摺接係合が完了して、作動レバー５０のカム腕部５１が主面５４で作動カム４０の薄肉復帰案内構造部４６の主面４６ｃに重なって摺接し、作動レバー５０のカム腕部５１のカム従節５１ａが作動カム４０の復帰案内段差部４５の側面４５ａに沿って変位して部位Ｐ７に当接する状態Ｓ７になる。この状態Ｓ７では、作動カム４０は針座３８のＨ１方向弾性押圧力に抗して厚さ方向Ｈの文字板１２側に向かって２４時間歯車３２からＨ２方向に最大限離間した位置Ｑ１（図４）を採る。この状態Ｓ７では、２４時間車３０及び作動カム４０は、初期状態Ｓ０と比較して角度α＝α７（＞α５）だけ回転され、この状態Ｓ７では、部位Ｐ７の径が部位Ｐ６の径よりも大きくなるので、作動レバー５０が更にＧ１方向に回転して角度＝β７（＞β６）を採り、これに応じて、２４時表示部６０の表示針６４も更に回転して角度γ＝γ７（＞γ６）を採る。
【００５１】
逆転修正が更に進行すると、作動カム４０のＦ２方向回転に伴い、図１５の（ａ）及び（ｂ）や図１６の（ａ）及び（ｂ）や図１７の（ａ）及び（ｂ）に示したように、裏蓋側主面５５で２４時間歯車３２の対向主面３２ａに当接した作動レバー５０のカム腕部５１が文字板側主面５４で作動カム４０の薄肉復帰案内構造部４６の主面４６ｃに重なって摺接したまま、作動レバー５０のカム腕部５１のカム従節５１ａが作動カム４０の復帰案内段差部４５の側面４５ａに沿って小径部位４４ｄから大径部位４４ｃに向かって更に上った部位Ｐ８やＰ９やＰ１０と当接する状態Ｓ８やＳ９やＳ１０を採る。部位Ｐ１０は大径部位４４ｃの近傍に位置する。これらの状態Ｓ８やＳ９やＳ１０では、２４時間車３０及び作動カム４０は、初期状態Ｓ０と比較して角度α＝α８（＞α７）やα＝α９（＞α８）やα＝α１０（＞α９）だけ回転されている。なお、この状態Ｓ８やＳ９やＳ１０では、部位Ｐ８やＰ９やＰ１０の径は、夫々、部位Ｐ７やＰ８やＰ９の径よりも大きくなるので、作動レバー５０が更にＧ１方向に回転して角度＝β８（＞β７）やβ９（＞β８）やβ１０（＞β９）を採り、これに応じて、２４時表示部６０の表示針６４も更に回転して角度γ＝γ８（＞γ７）やγ＝γ９（＞γ８）やγ１０（＞γ９）を採る。
【００５２】
逆転修正が更に進行すると、作動カム４０のＦ２方向回転に伴い、図１８の（ａ）及び（ｂ）に示したように、裏蓋側主面５５で２４時間歯車３２の対向主面３２ａに当接した作動レバー５０のカム腕部５１が文字板側主面５４で作動カム４０の薄肉復帰案内構造部４６の主面４６ｃに重なって摺接したまま、作動レバー５０のカム腕部５１のカム従節５１ａが作動カム４０の復帰案内段差部４５の側面４５ａに沿って大径部位４４ｃに達した状態Ｓ１１ａを採り、更に、図１８の（ｃ）に示したように、カム従節５１ａのあるカム腕部５１が作動カム４０の薄肉復帰案内構造部４６と重なった状態から脱して（外れて、作動レバー５０のカム腕部５１の主面５４と作動カム４０の薄肉復帰案内構造部４６の主面４６ｃとが当接しなくなり）、カム従節５１ａが作動カム４０の漸増カム面４４に当接する状態Ｓ１１ｂになる。この状態Ｓ１１ｂでは、針座３８のＨ１方向弾性偏倚力の作用下で、作動カム４０の厚肉の作動カム本体４１の主面４１ａが、再度、２４時間歯車３２の主面３２ａに当接するようになる。図１８の（ａ）の如き平面説明図では、状態Ｓ１１ａとＳ１１ｂとが実際上識別され難いので、両状態Ｓ１１ａ，Ｓ１１ｂを合わせて状態Ｓ１１として示した。
【００５３】
この状態Ｓ１１では、２４時間車３０及び作動カム４０は、初期状態Ｓ０と比較して角度α＝α１１（＞α１０）だけ回転されている。なお、この状態Ｓ１１では、大径部位４４ｃの径が部位Ｐ１０の径よりも大きくなるので、作動レバー５０が更にＧ１方向に回転して角度＝β１１（＞β１０）を採り、これに応じて、２４時表示部６０の表示針６４も更に回転して角度γ＝γ１１（＞γ１０）を採る。
【００５４】
これにより、作動レバー５０のカム腕部５１のカム従節５１ａが、逆方向復帰案内段差部４５を完全に抜けて漸増カム面部４４に当接する状態に戻ったことになる。すなわち、レトログラード作動カム４０の逆転が許容されることが確認されたことになる。
【００５５】
なお、ここで、この角度α１１は、作動カム４０の逆方向回転角度αの大きさであって、カム従節５１ａが作動カム４０の最大径部４４ａに当接する状態から作動カム４０の大径部位４４ｃに当接する状態に漸増カム面部４４に沿って逆方向に移動したことに対応するから、作動カム４０の大径部位４４ｃ及び最大径部４４ａが中心Ｆに対してなす庇突出角度αＭに一致する。すなわち、α１１＝αＭである。この後、２４時間車３０がＦ１方向に回転されて最終位置に設定されるかＦ２方向に回転され最終位置に設定されるかにかかわらず、２４時間車３０の回転位置（従って作動カム４０の回転位置）が２４時表示針６４の指示位置に正確に対応し、送り量と表示とが正確に対応することになる。すなわち、この２４時レトログラード表示機構１では、位相ズレが生じることなく逆転が行われ得る。
【００５６】
以上の通り、この２４時レトログラード表示機構１では、剛体間の回転や回動によって相対的な位置関係が伝達されるので、動作が正確に且つ確実に行われ易い。また、この２４時レトログラード表示機構１では、作動カム４０の近傍の輪列によって作動カム４０の逆方向回転が許容され該逆方向回転の際に作動カム４０及び作動レバー５０が案内されるので、２４時レトログラード表示機構１の表示針６４の配設位置に対する制約が少なく、所望の位置でレトログラード表示が行われ得る。
【００５７】
また、図９から図１７までの逆方向復帰案内段差部４５に沿った逆転動作の途中においても、逆方向回転の進行状態と表示針６４による表示の変化とに相関があるので、逆針回しの進行状況がわかり易い。
【符号の説明】
【００５８】
１  ２４時レトログラード表示機構
２  アナログ時計
３  外観
４  ムーブメント
５  通常運針輪列
６  第二地板
７  第二輪列受
１１  時刻表示針
１１ａ  時針
１１ｂ  分針
１１ｃ  秒針
１２  文字板
１２ａ  植字
１３  ２４時レトログラード表示領域
１３ａ  ２４時表示
１４  時計ケース
１５  りゅうず
１５ａ  巻真
１６ｂ  分車
１６ｃ  秒車
１７  筒車
１８  裏蓋
２３  ２４時第一中間車
２６  ２４時第二中間車
３０  ２４時間車
３２  ２４時間歯車
３２ａ  主面
３４  作動カム案内ピン
３６  回転中心軸
３８  針座
４０  ２４時レトログラード作動カム
４１  作動カム本体
４１ａ  主面
４２  貫通孔
４３  主カム面
４４  漸増カム面部
４４ａ  最大径部
４４ｂ  最小径部
４４ｃ  最大径部近傍の大径部位（復帰案内段差部の側面の最大径側の端部）
４４ｄ  小径部位（復帰案内段差部の側面の最小径側の端部）
４４ｅ  小径カム面領域
４５  復帰案内段差部
４５ａ  側面
４５ｂ  最外周端
４６  復帰案内構造部（三次元係合構造部）
４６ａ  径方向内側縁部
４６ｂ  周方向端縁
４６ｃ  主面
４６ｆ  順方向段差部
４７  傾斜案内面
４７ａ  端縁
４８  作動カム段差部
５０  作動レバー
５１  カム腕部
５１ａ  先端部（カム従節）
５２  扇形歯車部
５３  傾斜面部（三次元係合構造部）
５３ａ  側縁
５３ｂ  先端
５４，５５  主面
６０  ２４時表示車部
６１  軸部
６２  ２４時表示歯車
６３  ２４時表示車戻しばね
６４  ２４時表示針
Ｃ，Ｄ，Ｅ，Ｆ，Ｇ  回転中心軸線
Ｃ１，Ｃ２，Ｄ１，Ｄ２，Ｅ１，Ｅ２，Ｆ１，Ｆ２，Ｇ１，Ｇ２  回転方向
Ｈ  厚さ方向
Ｈ１，Ｈ２  方向（向き）
Ｐ，Ｐ１，Ｐ２，Ｐ３，Ｐ４，Ｐ５，Ｐ６，Ｐ７，Ｐ８，Ｐ９，Ｐ１０  カム従節の当接部位
Ｑ０，Ｑ１  位置
Ｓ０，Ｓ１，Ｓ２，Ｓ３，Ｓ４，Ｓ５，Ｓ６，Ｓ７，Ｓ８，Ｓ９，Ｓ１０，Ｓ１１，Ｓ１１ａ，Ｓ１１ｂ  カム従節の当接部位
α０，α１，α２，α３，α４，α５，α６，α７，α８，α９，α１０，α１１  作動カムの逆転角度
αＭ  庇突出角度
β１，β２，β３，β４，β５，β６，β７，β８，β９，β１０，β１１  作動レバーの回転角度
γ１，γ２，γ３，γ４，γ５，γ６，γ７，γ８，γ９，γ１０，γ１１  ２４時表示針の回転角度
【図１】
2014159999.tif 000003
【図２】
2014159999.tif 000004
【図３】
2014159999.tif 000005
【図４】
2014159999.tif 000006
【図５】
2014159999.tif 000007
【図６】
2014159999.tif 000008
【図７】
2014159999.tif 000009
【図８】
2014159999.tif 000010
【図９】
2014159999.tif 000011
【図１０】
2014159999.tif 000012
【図１１】
2014159999.tif 000013
【図１２】
2014159999.tif 000014
【図１３】
2014159999.tif 000015
【図１４】
2014159999.tif 000016
【図１５】
2014159999.tif 000017
【図１６】
2014159999.tif 000018
【図１７】
2014159999.tif 000019
【図１８】
2014159999.tif 000020